(57)【要約】【課題】美観のみならず着座時の快適性をも向上させた座起立式椅子を提供する。【解決手段】座起立式椅子１０は、背部１と、背部１の前方に位置し、着座可能な使用位置と跳ね上げられた起立位置との間で揺動可能な座部２と、を備え、座部２の背部側端部には隆起部７が設けられ、座部２が使用位置にあるときに、背部１と隆起部７が連続面を形成する。【選択図】図２
2018051026.tif 000002
【特許請求の範囲】
【請求項１】
背部と、
前記背部の前方に位置し、着座可能な使用位置と跳ね上げられた起立位置との間で揺動可能な座部と、を備え、
前記座部の背部側端部には隆起部が設けられ、前記座部が前記使用位置にあるときに、前記背部と前記隆起部が連続面を形成する、座起立式椅子。
【請求項２】
請求項１に記載の座起立式椅子であって、
前記座部が前記使用位置にあるときに、前記隆起部の頂部が前記背部の下端部の近傍に位置する、座起立式椅子。
【請求項３】
請求項１に記載の座起立式椅子であって、
前記座部は、前記座部の両側に配置された側面部材に回転可能に接続されている、座起立式椅子。
【請求項４】
請求項３に記載の座起立式椅子であって、
前記背部の回転中心部から前記隆起部の頂部までの距離Ｌ１と、前記回転中心部から前記背部の前方の下端部までの距離Ｌ２は略等しい、座起立式椅子。
【発明の詳細な説明】
【技術分野】
【０００１】
本発明は、観覧席や競技場の観客席等に好適に使用される座起立式椅子に関する。
【背景技術】
【０００２】
従来、観覧席や競技場の観客席等に使用される座起立式椅子には、背と、座と、背の両側に設けられた座支持部材とを備え、座が着座可能な使用位置と跳ね上げられた起立位置との間で揺動可能に座支持部材に支持されているものが用いられている。
【０００３】
観覧席や競技場の観客席等には、未だに座起立式椅子ではなく、座が使用位置に固定されたままである固定椅子が設置されているものも存在する。座起立式椅子は固定椅子に比べて、椅子の間の通路の幅を大きく確保することができるとともに、背および座の寸法を大きくすることができるため、固定椅子の代わりに座起立式椅子を導入する事例が増加している。
【先行技術文献】
【特許文献】
【０００４】
【特許文献１】特開２００９−１６００３０号公報
【発明の概要】
【発明が解決しようとする課題】
【０００５】
座起立式椅子は、椅子の間の通路の幅を大きく確保すること等を主目的としているため、座り心地など快適性の面に関し、十分検討されているとは言い難い。
【０００６】
本発明は、美観のみならず人の着座時の快適性をも向上させた座起立式椅子に関する。
【課題を解決するための手段】
【０００７】
本発明の座起立式椅子は、背部と、前記背部の前方に位置し、着座可能な使用位置と跳ね上げられた起立位置との間で揺動可能な座部と、を備え、前記座部の背部側端部には隆起部が設けられ、前記座部が前記使用位置にあるときに、前記背部と前記隆起部が連続面を形成する。
【発明の効果】
【０００８】
本発明の座起立式椅子によれば、座部が使用位置にあるときに、背部と隆起部が連続面を形成するため、美観が向上するとともに、人の着座時の快適性をも向上させることができる。
【図面の簡単な説明】
【０００９】
【図１】図１は、本発明の実施形態の座起立式椅子において座部を上げた状態の全体図を示し、（ａ）は正面図、（ｂ）は（ａ）のＩ−Ｉ線に沿った断面図を示す。
【図２】図２は、本発明の実施形態の座起立式椅子において座部を下げた状態の全体図を示し、（ａ）は正面図、（ｂ）は（ａ）のＩＩ−ＩＩ線に沿った断面図を示す。
【図３】図３は、座部の斜視図を示し、（ａ）は前方から見た斜視図、（ｂ）は後方から見た斜視図を示す。
【発明を実施するための形態】
【００１０】
以下、本発明の実施形態を、図面を参照して詳細に説明する。図１は、本発明の実施形態の座起立式椅子において座部を上げた状態の全体図を示す。座起立式椅子１０は、劇場や競技場等の床に固定され、設置可能である。座起立式椅子１０は、人の背中を支える背部１と、背部１の前方に位置し、人が着座可能な座部２と、座部２の両側に配置された二つの側面部材（側面板）３と、側面部材３の上部に配置された肘掛４と、側面部材３の下部に配置され、床に固定される脚部５とを備える。
【００１１】
座部２は側面部材３から突出した回転軸６によって側面部材３に接続しており、回転軸６を中心として、人が着座可能な使用位置と跳ね上げられた起立位置との間で揺動可能である。図１は、座部２を上げた未使用の起立位置にある状態を示している。図示せぬバネなどの付勢部材により、座部２が本位置に付勢されている。
【００１２】
図１の座起立式椅子１０は、その前後においても通路を隔てて配置されている。そして、図１に示すように、未使用の状態において座部２は起立するため、座部が使用状態で固定されて揺動しない固定椅子に比べて通路の幅を大きく取ることができ、人の通過が容易となる。
【００１３】
座部２の後端、すなわち最も背部１に近い端部（背部側端部）は、隆起部７が形成されており、座部２の厚みが厚くなっている。また、隆起部７の前面７ａが斜面を形成しており、人が着座した際、人のお尻がフィットしやすい形状を呈している。また、回転軸６から隆起部７の頂部７ｂまでの距離Ｌ１と、回転軸６から背部１の前方の下端部１ｂまでの距離Ｌ２は、略等しくなるように設定されている（Ｌ１≒Ｌ２）。
【００１４】
図２は、座部２を下げた使用位置にある状態を示しており、座部２を回転軸６を中心として図１（ｂ）の状態から、反時計回りに回転させることにより、人が座部２に着座可能な状態となる。また、着座状態から人が離れると、図２（ｂ）の状態から、座部２が回転軸６を中心として時計回りに自発的に回転し、図１の状態になる。
【００１５】
上述したように、Ｌ１≒Ｌ２ため、図２の状態では、隆起部７の頂部７ｂは、背部１の前方の下端部１ｂに接近し、頂部７ｂが下端部１ｂの近傍に位置することにより、頂部７ｂと下端部１ｂの間の隙間を小さくすることができる。頂部７ｂが下端部１ｂの近傍に位置する場合の特別な状態として、頂部７ｂと下端部１ｂを接触させる場合はこの隙間をなくすこともでき、このとき回転軸６から接触位置までの距離Ｌは、Ｌ１、Ｌ２に等しくなる（Ｌ＝Ｌ１＝Ｌ２）。ここでの隙間を小さくする、またはなくすことにより、座起立式椅子１０の美観、特に図２の状態での美観を向上させることができる。ただし、頂部７ｂと下端部１ｂを接触させる場合は。接触量が大きくなりすぎないように留意する。接触量が大きすぎると、座部２の円滑な回転が妨げられるおそれがある。
【００１６】
そして、図２（ｂ）に示すように、背部１の前面１ａと座部２の隆起部７の前面７ａが滑らかな連続面Ｐを形成することになる。この連続面Ｐは、背部１から座部２に渡って一体的、連続的に繋がった曲面を呈しており、人の背中の下部からお尻にかけての面にフィットしやすい形状になるように成形されている。よって、人が着座した際、人の背中およびお尻が連続面Ｐにフィットしやすく、座り心地が向上する。
【００１７】
図３は、座部２の斜視図を示す。座部２の側面には、側面部材３の回転軸６が挿入可能な回転軸受入孔８が設けられている。隆起部７は、座部２の人が着座するための主面２ａから前面７ａが斜めにかつ滑らかに立ちあがるようにして形成されている。
【００１８】
座起立式椅子１０の各部を構成する部材はどのようなもので構成されてもよい。背部１、座部２は、例えばウレタンなどのクッション部材を所定の形状に加工し、革や布などのカバーをかぶせて製造される。座部２は隆起部７を含めて一体の部材で成形してもよいし、隆起部７と他の部分とを別に成形し、後から接着してもよい。
【００１９】
尚、本実施形態では、座部２は、回転軸６および回転軸受入孔８を介して、側面部材３に回転可能（搖動可能）に取り付けられている。しかしながら、取り付けの構造は、実施形態の様な回転軸６および回転軸受入孔８には限定されず、種々の方式が考えられる。例えば何らかの回転機構が、座部２と側面部材３の間に形成され、当該回転機構により決定される座部２の回転中心部（実施形態の回転軸６および回転軸受入孔８の位置に相当）から隆起部７の頂部７ｂまでの距離Ｌ１と、回転中心部から背部１の前方の下端部１ｂまでの距離Ｌ２が略等しくてもよい。また、座部２が使用位置にあるときに、背部１と隆起部７が連続面を形成するなら、距離Ｌ１と距離Ｌ２が略等しいことは必須ではない。
【００２０】
また、座部２が側面部材３に取り付けられることも必須ではなく、座部２が使用位置にあるときに、背部１と座部２の隆起部７が連続面を形成することが可能なら、座部２は背部１や他の部材に回転可能（搖動可能）に取り付けられてもよい。すなわち、座部２の回転中心部は特定の位置には限定されない。
【００２１】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００２２】
本発明によれば、美観のみならず着座時の快適性をも向上させた座起立式椅子が提供されることになり、座起立式椅子の利用が促進される。
【符号の説明】
【００２３】
１    背部
２    座部
３    側面部材
４    肘掛
５    脚部
６    回転軸
７    隆起部
８    回転軸受入孔
１０  座起立式椅子
【図１】
2018051026.tif 000003
【図２】
2018051026.tif 000004
【図３】
2018051026.tif 000005